(57)【要約】【課題】シンプルで空気調和機に取付けた際の見栄えも良く、しかも、良好に空気調和機からの吹出し風を室内全体に拡散させることが可能な吹出し風拡散装置を提供すること。【解決手段】天井面に設けられた空気調和機１００の吹出口１０３から吹出す風を室内全体に拡散させるための装置１であって、前記空気調和機のパネル１０１の中央部に取付けられる回転機構部２０と、前記回転機構部から外方へ向けて延設した複数の取付フレーム５０の端部に、空気調和機の吹出口と対向する状態で取付けられる風受体６０とを備え、前記風受体は外観形状を環状とした皿状の部材からなり、前記吹出口と対向する面には複数のフィン６１，６１ａが所定間隔で立設されている。【選択図】図２
0003190719.tif 000002
【実用新案登録請求の範囲】
【請求項１】
天井面に設けられた空気調和機の吹出口から吹出す風を室内全体に拡散させるための装置であって、前記空気調和機のパネルの中央部に取付けられる回転機構部と、前記回転機構部から外方へ向けて延設した複数の取付フレームの端部に、空気調和機の吹出口と対向する状態で取付けられる風受体とを備え、前記風受体は外観形状を環状とした皿状の部材からなり、前記吹出口と対向する面には複数のフィンが所定間隔で立設されていることを特徴とする空気調和機における吹出し風拡散装置。
【請求項２】
前記風受体は、外周側が内周側よりも低くなるように形成されていることを特徴とする請求項１記載の空気調和機における吹出し風拡散装置。
【請求項３】
前記回転機構部は、空気調和機のパネルの表面側中央部に固定された取付具に止着される枢支軸と、前記複数の取付フレームを固定した状態で枢支軸に回転可能に枢着される回転体と、前記枢支軸の下端部に設けられて前記回転体の下面を支承する支承体とを備えて構成されていることを特徴とする請求項１記載の空気調和機における吹出し風拡散装置。
【請求項４】
前記回転体の回転を阻止する手段を設けたことを特徴とする請求項３記載の空気調和機における吹出し風拡散装置。
【考案の詳細な説明】
【技術分野】
【０００１】
本考案は、天井面に設けられた空気調和機の吹出口から吹出す風を室内全体に拡散させる装置に関する。
【背景技術】
【０００２】
オフィスや店舗等においては、見栄えや取付スペース等の面から天井埋込カセット型の空気調和機が使用されることが多い。天井埋込カセット型の空気調和機は、天井に形成された開口に挿入・設置される室内機本体と、前記室内機本体の下面に天井と略面一となるように取付けられた矩形状のパネルとを備え、前記パネルの中央部に設けた吸込口から吸い込んだ空気を室内機本体において所定温度に調整し、冷風あるいは温風（以下、冷風等という）としてパネルの各辺に沿って形成された４箇所の細長な吹出口から吹出して室内を冷暖房するように構成されている。
然るに、前記冷風等は、パネルに形成した４箇所の吹出口から下向き若しくは斜め下向きに吹出すので、吹出し方向以外へは冷風等が行き渡り難く、室内全体が均等に冷暖房され難いという問題がある。一方、冷風等の吹出し方向に居る人には長時間にわたって直接冷風等が当たることになり、特に冷房中にあっては長時間冷風に当たり続けて体調を崩す等の健康被害を受けるという問題がある。
【０００３】
上記の問題を解決するために、例えば、空気調和機の吹出口付近に傾斜角度を変更可能とした板体を配設し、この板体に吹出口からの吹出し風を当てることにより、吹出し風の流通方向を変更するようにした技術が開示されている（例えば、特許文献１，２参照）。
【０００４】
【先行技術文献】
【特許文献】
【０００５】
【特許文献１】特開２００４−６９２７７号公報
【特許文献２】実用新案登録第３０５６４４７号公報
【考案の概要】
【考案が解決しようとする課題】
【０００６】
然るに、特許文献１，２に記載されている技術によれば、冷房時に冷風の吹出し方向に居る人に、冷風が直接当たるという問題を解決することができるものの、板体は吹出口付近に個別に配設されるため、空気調和機の周囲が非常にごちゃごちゃとした状態となり、天井埋込カセット型の空気調和機のメリットである見栄え（デザイン性）が悪くなるという問題があった。
また、板体に当たった吹出し風は、前記板体に沿って吹出口の延長線上の方向に流通するものの、それ以外の方向へは流通し難いため、吹出し風が室内全体に均等に行き渡らないという問題が依然として残っている。
【０００７】
本考案は前記種々の問題点に鑑み、シンプルで空気調和機に取付けた際の見栄えも良く、しかも、良好に空気調和機からの吹出し風を室内全体に拡散させることが可能な吹出し風の拡散装置の提供を目的とする。
【課題を解決するための手段】
【０００８】
前記の課題を解決するために、本考案の装置は、天井面に設けられた空気調和機の吹出口から吹出す風を室内全体に拡散させるための装置であって、前記空気調和機のパネルの中央部に取付けられる回転機構部と、前記回転機構部から外方へ向けて延設した複数の取付フレームの端部に、空気調和機の吹出口と対向する状態で取付けられる風受体とを備え、前記風受体は外観形状を環状とした皿状の部材からなり、前記吹出口と対向する面には複数のフィンが所定間隔で立設されている。
また、前記風受体は、外周側が内周側よりも低くなるように形成するとよい。
更に、前記回転機構部は、空気調和機のパネルの表面側中央部に固定された取付具に止着される枢支軸と、前記複数の取付フレームを固定した状態で枢支軸に回転可能に枢着される回転体と、前記枢支軸の下端部に設けられて前記回転体の下面を支承する支承体とを備えて構成するとよい。
また更に、前記回転体の回転を阻止する手段を設けるとよい。
【考案の効果】
【０００９】
本考案に係る装置によれば、空気調和機の吹出口から吹出す風は、当該吹出口と対向する位置に配置した風受体及び当該風受体に立設した複数のフィンに沿って外周方向へ向かうとともに、前記複数のフィンとぶつかることで風受体に周方向への回転力を付与することにより、渦巻状の旋回流を形成して室内全体に拡散されるので、温度ムラの発生を解消することができるとともに、吹出し風が利用者の体に直接当たることがないので、特に冷房時に長時間冷風が当たることにより体調を崩す等といった健康被害の発生を良好に防ぐことができる。また、本考案の風受体は外観形状を環状となし、空気調和機のパネル中央部に回転機構部を介して回転可能に取付けられているので、従来技術のように吹出口付近に個別に板体を配設する場合に比べ、装置自体の見た目が非常にシンプルで空気調和機に取付けた際の見栄えもよいという優れた利点を有する。更に、風受体は吹出口からの吹出し風を受けて回転するので、前記風受体を回転させるために特別な駆動手段を用いる必要がないため、省エネ及び二酸化炭素削減に寄与することができる。
【００１０】
また、風受体は、外周側が内周側よりも低くなるように形成されているので、空気調和機の吹出口からの吹出し風は、前記風受体に沿って水平方向へ流通する結果、前記風受体が回転することとも相まって、空気調和機から離れた位置まで良好に拡散させることができる。
【００１１】
更に、回転機構部は、枢支軸周りに回転する回転体と、前記枢支軸の下端部に設けられて前記回転体の下面を支承する支承体とを備えて構成され、その高さを枢支軸の長さに比例してコンパクトにすることが可能となるので、前記回転体から外方へ向けて延設される取付フレームの端部に固定される風受体は、空気調和機の下方に近接した状態で配置することができる。
【００１２】
しかも、前記回転体の回転を阻止する手段を設け、必要時にのみ回転体を回転させるようにしたので、例えば冬場等に暖房を行うような場合に、回転体の回転を阻止することにより、前記回転体から延設される取付フレームの先端部に固定される風受体が、吹出口から吹出す温風を受けて回転するのを阻止し、前記風受体の回転によって発生する風を受けたり、室内の冷気が撹拌されたりすることで、利用者が寒さを感じる等といった問題の発生を防ぐことができる。
【図面の簡単な説明】
【００１３】
【図１】天井面に設置された空気調和機を示す斜視図である。
【図２】本考案に係る装置を空気調和機に設置した状態を示す斜視図である。
【図３】本考案に係る装置を示す斜視図である。
【図４】本考案に係る装置を構成する回転機構部他を分解して示す斜視図である。
【図５】同じく、回転機構部他を分解して示す斜視図である。
【図６】回転機構部を構成する回転体の平面図である。
【図７】（ａ）は図６のＡ−Ａ線における断面図、（ｂ）は図６のＢ−Ｂ線における断面図である。
【図８】本考案に係る装置を構成する風受体の取付フレームに対する取付状態を示す斜視図である。
【図９】本考案に係る装置を構成する風受体の連結部分を拡大して示す斜視図である。
【図１０】空気調和機からの吹出し風の流れを概略的に示す説明図である。
【図１１】本考案に係る装置による空気調和機からの吹出し風の拡散状態を示す説明図である。
【図１２】本考案に係る装置の他の実施形態を示す斜視図である。
【図１３】他の実施形態のカバー体を示す斜視図である。
【図１４】他の実施形態の回転体を示す平面図である。
【図１５】（ａ）は図１４のＣ−Ｃ線における断面図、（ｂ）は他の実施形態の回転機構部の作用を説明するための断面図である。
【考案を実施するための形態】
【００１４】
以下、本考案を実施するための形態について、図１ないし図１１を参照しながら具体的に説明する。図１は天井面に設置された空気調和機を示す斜視図である。図２は本考案に係る装置を空気調和機に設置した状態を示す斜視図である。図３は本考案に係る装置を示す斜視図である。図４は本考案に係る装置を構成する回転機構部他を分解して示す斜視図である。図５は同じく、回転機構部他を分解して示す斜視図である。図６は回転機構部を構成する回転体の平面図である。図７（ａ）は図６のＡ−Ａ線における断面図、同図（ｂ）は図６のＢ−Ｂ線における断面図である。図８は本考案に係る装置を構成する風受体の取付フレームに対する取付状態を示す斜視図である。図９は本考案に係る装置を構成する風受体の連結部分を拡大して示す斜視図である。図１０は空気調和機からの吹出し風の流れを概略的に示す説明図である。図１１は本考案に係る装置による空気調和機からの吹出し風の拡散状態を示す説明図である。
【００１５】
図１に所謂天井埋込カセット型の空気調和機を示す。天井埋込カセット型の空気調和機１００は、天井２００に形成された開口に挿入・設置される室内機本体（図視せず）と、前記室内機本体の下面に天井２００と略面一となるように取付けられた矩形状の空調パネル１０１とを備え、前記空調パネル１０１の中央部に設けた吸込口グリル１０２から吸い込んだ空気を室内機本体において所定温度に調整し、冷風あるいは温風（以下、冷風等という）として空調パネル１０１の各辺に沿って形成された４箇所の細長な吹出口１０３から吹出して室内を冷暖房するように構成されている。なお、前記吹出口１０３には、当該吹出口１０３を開閉し、かつ、冷風等の吹出し方向を可変するルーバー１０４が設けられている。
【００１６】
図１に示す１０は空調パネル１０１に設けた吸込口グリル１０２の中央部に固定された取付具である。前記取付具１０は、図４，５に示すように、例えば平面視形状を正方形状となした金属製の平板材からなり、その下面には、中央部を凹状とした取付座１１が溶接等の手段により固着されている。また、取付座１１の中央部には溶接等の手段によりナット１２（図７（ａ）参照）が固着しされている。
前記取付具１０は、図７（ａ）に示すように、空調パネル１０１（吸込口グリル１０２）の裏面側に配置される固定板１５に対して固定される。前記固定板１５は、図４，５に示すように、例えば平面視形状を取付具１０と同様の形状とした金属製の平板材からなり、その上面の所定位置にはナット１６が溶接等の手段により固着されている。
そして、取付具１０を固定板１５に固定する場合は、前記固定板１５を空調パネル１０１（吸込口グリル１０２）の裏面側に配置するとともに、前記取付具１０を空調パネル１０１（吸込口グリル１０２）の表面側に前記固定板１５と対応させて配置し、この状態で取付具１０に挿通したボルト１３を固定板１５の上面に固着したナット１６に螺合する。これにより、前記取付具１０は固定板１５に対し、図７（ａ）に示すように、当該固定板１５との間で空調パネル１０１（吸込口グリル１０２）を挟み込んだ状態で固定される。
【００１７】
図２に本考案に係る吹出し風拡散装置１を空気調和機１００に取付けた状態を示す。また、図３に本考案に係る吹出し風拡散装置１を示す。図３に示すように、前記吹出し風拡散装置１は、吸込口グリル１０２の中央部に取付具１０を介して取付けられる回転機構部２０と、前記回転機構部２０から外方へ向けて延設した複数の取付フレーム５０の端部に、空気調和機１００の吹出口１０３と対向する状態で固定される風受体６０とを備えて構成される。
【００１８】
回転機構部２０は、図４，５に示すように、空気調和機１００の吸込口グリル１０２の中央部に固定された取付具１０に止着される枢支軸２１と、複数の取付フレーム５０を固定した状態で枢支軸２１に対して回転可能に枢着される回転体２５と、前記枢支軸２１の下端部に設けられて前記回転体２２の下面を支承する支承体４５とを備えて構成される。
【００１９】
枢支軸２１は、図７（ａ）に示すように、取付具１０の取付座１１に固着したナット１２と螺合する部分にのみネジ山を設けたボルト等からなり、前記ネジ山は、当該枢支軸２１に枢着される回転体２５の回転時にネジが締まる方向に形成されている。従って、枢支軸２１周りに回転体２５を回転させても、ネジが緩んで装置１が落下するようなことはない。なお、枢支軸２１は、ネジによって取付具１０の取付座１１に止着する代わりに、止輪等の従来公知の手段を用いて止着するようにしてもよい。
【００２０】
回転体２５は、図４，５及び図７（ａ）に示すように、枢支軸２１に回転可能に枢着される軸受体２６と、前記軸受体２６の上面を覆うカバー体３５とを備えて構成される。
【００２１】
軸受体２６は、図４ないし図６に示すように、例えば平面視形状を正方形状となした合成樹脂製の平板２７の上面に、枢支軸２１が挿通される円柱状の挿通部２８と、取付フレーム５０の一方端が固定される平面視Ｌ字状の固定壁２９とを、所定高さで一体的に設けて構成される。前記挿通部２８は平板２７の中央部に設けられており、また、前記固定壁２９は挿通部２８の周囲に、隣り合う固定壁２９との間に所定の間隔を設け、かつ、その折曲部を平板２７のコーナー部と対向させた状態で設けられている。従って軸受体２６の平面視は、図６に示すように、円柱状の挿通部２８を中心としてその上下左右に固定壁２９を所定の間隔を設けて十字状に配した形態となっている。なお、前記挿通部２８と固定壁２９とは連結壁２９ａを介して一体的に連設されており、また、固定壁２９，２９間の所定の２箇所には、カバー体３５を着脱自在に係止するための係止フック３０が立設されている。
【００２２】
カバー体３５は、図４，５に示すように、例えば平面視形状を正方形状となした合成樹脂製の蓋状の部材であり、その下方へ延びる周壁３５ａの、軸受体２６に設けた固定壁２９と対応する部位には、前記固定壁２９に固定されて外方へ延びる取付フレーム５０が嵌入されるスリット３６が形成されている。また、前記周壁３５ａの、軸受体２６に設けた係止フック３０と対応する部位には、前記係止フック３０と係合する係止片３７が設けられている。従って、前記カバー体３５は、図７（ａ）に示すように、周壁３５ａに形成されたスリット３６に取付フレーム５０を嵌入し、かつ、係止片３７を係止フック３０に係合させることにより、軸受体２６に、その上面を覆うようにして取付けられる。
【００２３】
支承体４５は、図４，５に示すように、例えば平面視形状を正方形状となした合成樹脂製の皿状の部材であり、その中央部には上向きに凸部４５ａが突設されている。図７（ａ）に示すように、前記凸部４５ａの内側には、支承体４５の下部から上向きに挿通される枢支軸２１の頭部２１ａが収容されるとともに、凸部４５ａの上部には、例えば合成樹脂等からなる円板状のブッシュ４６が、枢支軸２１を挿通した状態で載置される。従って、前記支承体４５は、図７（ａ）に示すように、枢支軸２１の下端部である頭部２１ａに支持されるとともに、円板状のブッシュ４６を介して回転体２５（軸受体２６）の下面を回転自在に支承することができる。この際、前記ブッシュ４６の上面は、図７（ａ）に示すように、支承体４５の上部から僅かに突出するようにしてあるので、前記支承体４５と回転体２５（軸受体２６）との間には若干の隙間が形成され、前記回転体２５（軸受体２６）の回転に支障を来すことがない。
【００２４】
取付フレーム５０は、例えば一対のＬ字状の金属材からなり、図６に示すように、その垂直片５０ａ同士を向い合せ、かつ、水平片５０ｂを相反する方向へ向けた状態で、一方端は軸受体２６に、他方端は後述する風受体６０にそれぞれ固定される。取付フレーム５０の一方端を軸受体２６に固定する場合、まず水平片５０ｂは、図６及び図７（ｂ）に示すように、軸受体２６の平板２７に当接させた状態で、ボルト５１及びナット５２を用いて締め付け固定する。また垂直片５０ａは、図６及び図７（ｂ）に示すように、軸受体２６に所定の間隔を空けて平行な状態で設けた隣り合う固定壁２９，２９に、当該垂直片５０ａ同士を向い合せた状態で当接させるとともに、隣り合う固定壁２９，２９の間にブッシュ５３を介在させ、この状態で、前記垂直片５０ａと固定壁２９とブッシュ５３とを、ボルト５４及びナット５５を用いて共締め固定する。なお、取付フレーム５０の他方端を風受体６０に固定する場合については後述する。
【００２５】
風受体６０は、図３に示すように、外観形状を環状とした合成樹脂製の皿状の部材からなり、例えば周方向に８分割した皿状の部材６０ａを連結することにより環状に構成される。前記風受体６０を構成する８分割された皿状の部材６０ａは、図８ないし図１０に示す如く、内周縁側に立ち上がり面６０ｂを設けて、前記内周縁側よりも外周縁側が低くなるように形成されるとともに、空気調和機１００の吹出口と対向する内面（上面）には例えば平面視形状を「へ」の字状としたフィン６１，６１ａが、周方向における中央部と一方の端部の２箇所に立設されている。また、前記８分割された皿状の部材６０ａの周方向における他方の端部には、皿状の部材６０ａの内周側から幅方向のほぼ中央までの長さを有する平板状の連結板６２が立設されている。そして、前記皿状の部材６０ａの一方の端部に設けたフィン６１ａの内周側に、隣接する皿状の部材６０ａの他方の端部に設けた連結板６２を重ね合せ、これらフィン６１ａと連結板６２とを、ボルト６３及びナット６４を用いて締め付け固定することにより、図３に示す内面（上面）に平面視「へ」の字状のフィン６１，６１ａを複数設けた環状の風受体６０が構成される。
なお、前記風受体６０の内面（上面）に設けるフィン６１，６１ａの数は、例えば合計で１６枚または２４枚とするのがよい。また、前記フィン６１，６１ａは、その内周側の端部と外周側の端部との位置関係が、例えば平面視で内周側に対して外周側が所定角度（例えば４５°）で左下がりとなるように設けられている。
【００２６】
そして、前記風受体６０は、８分割した皿状の部材６０ａの連結箇所８箇所のうち４箇所において、取付フレーム５０に固定される。即ち、図８に示すように、回転体２５から延設される取付フレーム５０の端部（垂直片５０ａ，５０ａ）間に重ね合せたフィン６１ａ及び連結板６２を挿入し、かつ、前記重ね合せたフィン６１ａ及び連結板６２と取付フレーム５０の垂直片５０ａとの間にブッシュ６５を介在させ、この状態で、前記取付フレーム５０の垂直片５０ａと、フィン６１ａ及び連結板６２と、ブッシュ６５とをボルト６３及びナット６４を用いて共締め固定するとともに、皿状の部材６０ａの内周縁と取付フレーム５０の水平片５０ｂとをボルト６６及びナット（図示せず）を用いて締め付け固定することにより、風受体６０はその周方向の４箇所において取付フレーム５０に固定される。なお、前記取付フレーム５０に固定されない皿状の部材６０ａの連結箇所４箇所においては、図９に示すように、例えば皿状の部材６０ａの内周縁に、連結箇所に跨るようにしてコ字状の補強体６８を嵌着し、前記内周縁と補強体６８とをボルト６９及びナット７０を用いて締め付け固定することにより、連結状態を補強するとよい。
【００２７】
次に、本考案に係る吹出し風拡散装置１を空気調和機１００に取付ける場合は、まず枢支軸２１を支承体４５→ブッシュ４６→回転体２５（軸受体２６→カバー体３５）の順に挿通し、図３に示すように前記回転体２５の上部から先端部を突出させる。この状態で、前記枢支軸２１の先端部を、図７（ａ）に示すように、吸込口グリル１０２の中央部に固定されている取付具１０の取付座１１に固着したナット１２に螺着することにより、吹出し風拡散装置１は、図２及び図１０，１１に示すように、空気調和機１００の下方に吹出口１０３と対向する状態で取付けられる。この際、吹出し風拡散装置１は空気調和機１００のパネル１０１に対し、図１０に示すように、取付具１０及び回転体２５の高さに相当する距離だけ離れた状態で配置される。また、図１０，１１に示すように、風受体６０はその内周側が吹出口１０３の約半分程度まで掛かるように配置される。
なお、前記取付具１０及び回転体２５の高さや、風受体６０を吹出口１０３に対してどの程度掛かるように配置するかは、前記吹出口１０３から吹出す風を最も効率よく拡散させることができるように予め設定しておく。また、図７（ａ）に示すように、回転体２５の上面と取付座１１の下面との間には、当該回転体２５と取付座１１とが接触するのを防ぐために、予め所定の間隙が形成されるようにしておく。
【００２８】
つづいて、本考案による作用について、図１０，１１を参照しながら説明する。図１０（ａ）は冷風吹出し時（冷房時）の風の流れを概略的に示す。空気調和機１００のパネル１０１に設けた吹出口１０３から、当該吹出口１０３を開閉するルーバー１０４に沿って斜め下向きに吹出す冷風は、図１０（ａ）及び図１１に示すように、風受体６０及び前記風受体６０に設けた複数のフィン６１，６１ａに沿って外周方向へ流れるとともに、前記フィン６１，６１ａとぶつかることで風受体６０を図１１の反時計方向へ回転させる。これにより、吹出口１０３から吹出す冷風は、風受体６０の外周方向へと向かう渦巻状の旋回流を形成し、室内全体に拡散されることとなり、室内の温度ムラを解消できる。また、冷風の吹出し方向に居る利用者に、冷風が直接当たるのを防いで、長時間冷風に当たることにより発生する健康被害を良好に防ぐことができる。
【００２９】
図１０（ｂ）は温風吹出し時（暖房時）の風の流れを概略的に示す。空気調和機１００のパネル１０１に設けた吹出口１０３から、当該吹出口１０３を開閉するルーバー１０４に沿って略下向きに吹出す温風は、そのほとんどが環状の風受体６０の内周側を通ってそのまま下方へ流下する。このように、温風吹出し時においては、温風のほとんどが下方へ流下し、風受体６０に当たって拡散されることがないので、室内の上方に暖気が溜まりやすくなるのを防ぐことができる。なお、吹出口１０３から吹出す温風は、そのほとんどが環状の風受体６０の内周側を通って下方へ流下するものの、一部は風受体６０側へ流通することが考えられる。この場合には、冷風の吹出し時と同様に、風受体６０は、フィン６１，６１ａに温風が当たることにより図１１の反時計方向に回転することになる。
【００３０】
このように、本考案に係る吹出し風拡散装置１によれば、冷房時に空気調和機１００の吹出口１０３から吹出す冷風を、前記吹出口１０３と対向する状態で配置した風受体６０のフィン６１，６１ａに沿って渦巻状に流通させるだけでなく、前記冷風がフィン６１，６１ａにぶつかることにより発生する風受体６０の回転力によっても、冷風を拡散させることができるので、良好に室内全体の温度ムラを解消することが可能となる。また、前記冷風は、風受体６０によって空気調和機１００の下方に居る利用者に直接当たることがないので、特に冷房時に長時間冷風に当たることにより発生する健康被害を良好に防ぐことができる。しかも、前記風受体６０は、空気調和機１００の下方に極めて接近させた状態で設置することができるので、本考案に係る吹出し風拡散装置１を空気調和機１００に設置しても、頭上に圧迫感を受けることがないという優れた効果を有する。更に、風受体６０は、空気調和機１００の吹出口１０３からの吹出し風を受けて回転し、特別な駆動手段を必要としないので、省エネ及び二酸化炭素削減に寄与できる。また、風受体６０は、外観形状を環状となし、空気調和機１００のパネル１０１中央部に回転機構部２０を介して回転可能に取付けられているので、装置１自体の見た目が非常にシンプルで空気調和機１００に取付けた際の見栄えもよいという優れた利点を有する。
【００３１】
図１２ないし図１５に本考案に係る吹出し風拡散装置１の他の実施形態を示す。本考案においては、前述したように温風吹き出し時には、ほとんどの温風が環状の風受体６０の内周側を通って下方へ流下するが、一部の温風は風受体６０の外周方向へ流通する可能性がある。この場合には、風受体６０が温風を受けて回転するが、前記風受体６０が回転することで発生する風により、利用者が寒さを感じる可能性が少なからずある。これを防ぐために、温風吹出し時に風受体６０が回転するのを阻止する手段を設けるようにする。
【００３２】
以下、温風吹出し時に風受体６０の回転を阻止する手段を設ける場合の一例について、図１２ないし図１５を参照しながら説明する。図１２は本考案に係る装置の他の実施形態を示す斜視図である。図１３は他の実施形態のカバー体を示す斜視図である。図１４は他の実施形態の回転体を示す平面図である。図１５（ａ）は図１４のＣ−Ｃ線における断面図、同図（ｂ）は他の実施形態の回転機構部の作用を説明するための断面図である。
【００３３】
この場合、例えば、取付具１０とこれに枢支軸２１を介して回転可能に取付けられる回転体２５との間に、回転を阻止する手段を設けるのが最も簡単である。従って、例えば図１２ないし図１４及び図１５（ａ）に示すように、回転体２５を構成するカバー体３５の周壁３５ａの所定位置、即ち、係止片３７が設けられている位置から９０°ずらした位置に、スリット３６に替えて、取付フレーム５０の幅寸法（垂直片５０ａ，５０ａ間の距離）と合致する切欠き４０を、周壁３５ａから天面の一部に跨るようにして設け、切り残された天面の一部には、前記切欠き４０と連続する所定寸法の切込み４１を設けるとともに、この切込み４１の末端と直交する状態で折り溝４２を設けて、上下方向へ折り曲げ可能とした固定片４３を形成し、前記固定片４３の先端部（折り溝４２の反対側）には嵌合ピン４３ａを設ける。
一方、カバー体３５を含む回転体２５が枢支軸２１を介して回転可能に取付けられる取付具１０の取付座１１の側壁には、前記固定片４３に設けた嵌合ピン４３ａが嵌合する嵌合孔１１ａを設ける。なお、前記嵌合ピン４３ａは、取付座１１の側壁に設けた嵌合孔１１ａとの嵌合を解除した状態で回転体２５が回転する際に、前記取付座１１と接触しない位置に設けるようにする。
【００３４】
そして、暖房時に風受体６０の回転を阻止する場合には、図１５（ｂ）に示すように、回転体２５を構成するカバー体３５に設けた固定片４３を折り溝４２の位置において上方へ折り曲げ、その先端部に設けた嵌合ピン４３ａを、取付座１１の側壁に設けた嵌合孔１１ａに嵌合させることにより、前記固定片４３を設けたカバー体３５を含む回転体２５が不必要に回転するのを阻止する。この結果、前記回転体２５から外方へ向けて延設された取付フレーム５０に固定される風受体６０の回転も阻止することができるので、前記風受体６０が暖房時に温風を受けて回転することで発生する風により、利用者が寒さを感じるのを防ぐことが可能となる。
一方、冷房時のように、吹出口１０３から吹出す冷風を拡散させる必要がある場合には、図１５（ａ）に示すように、嵌合ピン４３ａの取付座１１に対する嵌合を解除することにより、回転体２５を自由に回転させることが可能となり、前記回転体２５から外方へ向けて延設された取付フレーム５０に固定される風受体６０を、吹出口１０３から吹出す冷風によって回転させて、前記冷風を室内全体に拡散させることができる。
【００３５】
なお、本考案においては、８分割した皿状の部材を連結することにより環状の風受体を形成した場合を一例として説明したが、これに限定されるものではない。また、風受体の４箇所を取付フレームに対して固定する場合を一例として説明したが、これに限定されるものではない。例えば、風受体の分割数は、取付フレームに対する固定箇所の倍数に相当する数（固定箇所が４箇所の場合は４，８，１２・・・、３箇所の場合は３，６，９・・・、等）とすればよく、また、取付フレームに対する固定箇所は、風受体の分割数の約数（１を除く）に相当する数（分割数が８の場合は８箇所，４箇所，２箇所、分割数が６の場合は６箇所，３箇所，２箇所、等）とすればよい。
また、本考案においては、吹出口を４箇所に設けた天井埋込カセット型の空気調和機に吹出し風拡散装置を設置する場合を一例として説明したが、本考案の装置は、吹出口を１箇所もしくは２箇所に設けた天井埋込カセット型の空気調和機にも適用可能である。
更に、本考案においては、固定板、取付具、回転体（軸受体、カバー体）、支承体の平面視形状を正方形状とした場合を一例として説明したが、これに限定されるものではなく、例えば円形状等としてもよい。また、風受体に立設されるフィンは、平面視形状を「ヘ」の字状とする代わりに円弧状としてもよい。
【符号の説明】
【００３６】
１  吹出し風拡散装置
１０  取付具
１１  取付座
１１ａ  嵌合孔
１５  固定板
２０  回転機構部
２１  枢支軸
２５  回転体
２６  軸受体
２８  挿通部
２９  固定壁
３０  係止フック
３５  カバー体
３６  スリット
３７  係止片
４０  切欠き
４２  折り溝
４３  固定片
４３ａ  嵌合ピン
４５  支承体
４６  ブッシュ
５０  取付フレーム
６０  風受体
６１，６１ａ  フィン
６２  連結板
１００  空気調和機
１０１  空調パネル
１０２  吸込口グリル
１０３  吹出口
１０４  ルーバー
【図１】
0003190719.tif 000003
【図２】
0003190719.tif 000004
【図３】
0003190719.tif 000005
【図４】
0003190719.tif 000006
【図５】
0003190719.tif 000007
【図６】
0003190719.tif 000008
【図７】
0003190719.tif 000009
【図８】
0003190719.tif 000010
【図９】
0003190719.tif 000011
【図１０】
0003190719.tif 000012
【図１１】
0003190719.tif 000013
【図１２】
0003190719.tif 000014
【図１３】
0003190719.tif 000015
【図１４】
0003190719.tif 000016
【図１５】
0003190719.tif 000017